(57)【特許請求の範囲】
【請求項１】
被験者により長くとも１日毎に色塗りされる所定日数分の色塗り用領域がシート表面で同じ曜日毎に若い日から順に所定方向に並べて配置されている色塗りシートと、
色塗りシートの色塗り用領域に色塗りした日についての感想を被験者が記入するための長くとも１日毎の感想記入欄が所定日数分シート表面に設けられている感想記入シートと、
色塗りシートにおいて被験者により塗られた長くとも１日毎の塗り色を転記するための塗り色転記欄、感想記入シートにおいて被験者により記入された長くとも１日毎の感想内容を転記するための感想内容転記欄、および、感想記入シートにおける長くとも１日毎の感想内容について分析者が付した被験者の精神状態を示す状態ランクを記入するための状態ランク記入欄がシート表面に設けられている転記シートと、
転記シートの長くとも１日毎の塗り色および感想内容を、状態ランク記入欄に記入された同種の状態ランク毎にまとめて並べ替えるための並べ替え欄がシート表面に設けられている並べ替えシートと
を備えて成ることを特徴とする精神状態把握用具。
【請求項２】
所定日数中に得られた所定数の状態ランクに対する状態ランク毎の集合の占める割合をグラフで表示する割合表示部がシート表面に設けられた状態ランク割合表示シートを備えて成る請求項１に記載の精神状態把握用具。
【請求項３】
色塗りシートおよび感想記入シートが一体のシートで構成されている請求項１にまたは請求項２記載の精神状態把握用具。
【請求項４】
請求項１または請求項２に記載の精神状態把握用具を用いて被験者の精神状態を把握する方法であって、
色塗りシートの色塗り用領域に被験者により若い日から順に所望の色を塗らしめ、
色塗りシートの色塗り用領域に色塗りした日についての感想を被験者により感想記入シートの感想記入欄に記入せしめ、
色塗りシートの塗り色および感想記入シートの感想内容を転記シートの塗り色転記欄および感想内容転記欄にそれぞれ転記せしめ、
感想記入シートの感想内容から分析者が付した被験者の精神状態を示す状態ランクを転記シートの状態ランク記入欄に記入せしめ、
転記シートの長くとも１日毎の塗り色および感想内容を並べ替えシートの並べ替え欄において同種の状態ランク毎にまとめて並べ替えさせることを特徴とする精神状態把握方法。
【発明の詳細な説明】
【技術分野】
【０００１】
本発明は、被験者の精神状態を把握するために用いられる精神状態把握用具およびそれを用いた精神状態把握方法に関する。
【背景技術】
【０００２】
従来、色塗りにより被験者の精神状態を分析する方法が、本発明者により創案されて下記の特許文献１に開示されている。この分析方法は、被験者がシート上で自身を表わす着色領域に自身に合った色を塗るとともに、関係者を表わす着色領域にその関係者に合うと思われる色を塗ることにより、人間関係に係る被験者の精神状態を簡便かつ迅速に分析するようにしたものである。
【０００３】
【特許文献１】特開２００２−３６０５４７号公報
【発明の開示】
【発明が解決しようとする課題】
【０００４】
上記文献開示の分析方法は、被験者から見た関係者との対人関係を分析するものであるが、所定期間（例えば、一ヶ月）中の被験者自身の精神状態を細かく把握することはできなかったのである。
【０００５】
本発明は、上記した従来の問題点に鑑みてなされたものであって、所定日数中の被験者自身の精神状態を精度よく把握することのできる精神状態把握用具および精神状態把握方法の提供を目的とする。
【課題を解決するための手段】
【０００６】
上記目的を達成するために、本発明に係る精神状態把握用具は、被験者により長くとも１日毎に色塗りされる所定日数分の色塗り用領域がシート表面で同じ曜日毎に若い日から順に所定方向に並べて配置されている色塗りシートと、色塗りシートの色塗り用領域に色塗りした日についての感想を被験者が記入するための長くとも１日毎の感想記入欄が所定日数分シート表面に設けられている感想記入シートと、色塗りシートにおいて被験者により塗られた長くとも１日毎の塗り色を転記するための塗り色転記欄、感想記入シートにおいて被験者により記入された長くとも１日毎の感想内容を転記するための感想内容転記欄、および、感想記入シートにおける長くとも１日毎の感想内容について分析者が付した被験者の精神状態を示す状態ランクを記入するための状態ランク記入欄がシート表面に設けられている転記シートと、転記シートの長くとも１日毎の塗り色および感想内容を、状態ランク記入欄に記入された同種の状態ランク毎にまとめて並べ替えるための並べ替え欄がシート表面に設けられている並べ替えシートとを備えた構成にしてある。
この場合、「長くとも１日」とは、１回分として色塗りされる時間間隔が最大１日であり、１日よりも短い場合（４分の１日、０．５日、３分の１日など）も含むことを意味している。
【０００７】
また、前記構成において、所定日数中に得られた所定数の状態ランクに対する状態ランク毎の集合の占める割合をグラフで表示する割合表示部がシート表面に設けられた状態ランク割合表示シートを備えて成るものである。
【０００８】
そして、前記した各構成において、色塗りシートおよび感想記入シートが一体のシートで構成されているものである。
【０００９】
そして、本発明に係る精神状態把握方法は、請求項１または請求項２に記載の精神状態把握用具を用いて被験者の精神状態を把握する方法であって、色塗りシートの色塗り用領域に被験者により若い日から順に所望の色を塗らしめ、色塗りシートの色塗り用領域に色塗りした日についての感想を被験者により感想記入シートの感想記入欄に記入せしめ、色塗りシートの塗り色および感想記入シートの感想内容を転記シートの塗り色転記欄および感想内容転記欄にそれぞれ転記せしめ、感想記入シートの感想内容から分析者が付した被験者の精神状態を示す状態ランクを転記シートの状態ランク記入欄に記入せしめ、転記シートの長くとも１日毎の塗り色および感想内容を並べ替えシートの並べ替え欄において同種の状態ランク毎にまとめて並べ替えさせることを特徴とするものである。
【発明の効果】
【００１０】
本発明に係る精神状態把握用具および精神状態把握方法によれば、被験者により、色塗りシートの色塗り用領域にその日の気持ちに合致した色が塗られ、その色塗り用領域の日付に対応した感想記入シートの感想記入欄にその日について一番言いたい感想が書き留められ、これらの塗り色および感想内容が分析者により転記シートおよび並べ替えシートを用いて分析されることにより、所定日数中における被験者自身の精神状態を精度よく把握することができる。
【００１１】
また、所定日数中の状態ランク全体に対する状態ランク毎の集合の占める割合が状態ランク割合表示シートの割合表示部でグラフとして表示される場合は、そのグラフを見るだけで被験者の精神状態を簡単に把握することができる。
【００１２】
そして、色塗りシートおよび感想記入シートを一体のシートで構成した場合は、被験者が一日毎の色塗り作業および感想記入作業のいずれかを忘れるといったことがなくなり、日記代わりとすることもできる。
【発明を実施するための最良の形態】
【００１３】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る精神状態把握用具を示す平面図である。
図において、この実施形態に係る精神状態把握用具１は、それぞれ後で詳述する、色塗りシートＳ１、感想記入シートＳ２、転記シートＳ３、並べ替えシートＳ４、および状態ランク割合表示シートＳ５から構成されている。
【００１４】
前記の色塗りシートＳ１は、図２に示すように、そのシート表面に、１ヶ月の最大日数である３１日分（所定日数分）の塗り絵柄（色塗り用領域Ｒ（ｎ）（ｎは日付を示し１〜３１である））が印刷されている。色塗り用領域Ｒ（１）〜Ｒ（３１）は例えば７角の星の塗り絵柄となっている。これらの色塗り用領域Ｒ（ｎ）は同じ曜日に係るものがグループとして同じ曜日毎に集められている。そして、曜日毎の色塗り用領域Ｒ（ｎ）は若い日から順に中心部Ｒ０から外向き（それぞれ矢印Ｙ１〜Ｙ７で示す所定方向）に並べて配置されている。個々の色塗り用領域Ｒ（ｎ）は被験者によって１日毎に色塗りされるようになっており、同じ日の色塗り用領域Ｒ（ｎ）内であれば、複数の色を用いて色分けしても構わない。尚、本発明における所定日数分とは、１ヶ月ぶんの日数はもとより、２〜３週間、あるいは２ヶ月以上の日数であってもよい。この塗り絵柄は月、年が変わっても何時でも同一のものを使用することができる。
【００１５】
前記の感想記入シートＳ２は、図３に示すように、そのシート表面に、所定日数（３１日）分の日付欄Ｄ（ｎ）と、色塗りシートＳ１の１日毎の色塗り用領域Ｒ（ｎ）に色塗りした日についての感想を被験者が記入するための感想記入欄Ｉ（ｎ）とが印刷されている。前記の日付欄Ｄ（ｎ）と感想記入欄Ｉ（ｎ）はそれぞれの１日分が対として横並びに配置されている。この感想記入シートＳ２は、  一つのシート表面上に一ケ月分の日数の文章表現ができるように配置してある。また、その日の気分を表現する感想記入欄Ｉ（ｎ）のスペースが小さいことから、被験者の記載負担が少ない。そして、感想記入欄Ｉ（ｎ）のスペースが小さいため、被験者はその日の一番言いたい事だけに絞り込んで表現しやすいという特徴がある。
【００１６】
前記の転記シートＳ３は、図４に示すように、そのシート表面に、日付欄Ｄ（ｎ）と、塗り色転記欄Ｈ（ｍ）と、感想内容転記欄Ｅ（ｍ）と、状態ランク記入欄Ｆ（ｍ）と、日数記入欄Ｇ（ｍ）と、出来事種別記入欄Ｊ（ｍ）と、パターン番号記入欄Ｖ（ｍ）とが設けられている。前記の日付欄Ｄ（ｎ）は月の日付ｎ順に配置されている。日数記入欄Ｇ（ｍ）における日数ｍは、分析者が予め１日を複数に分割した分割日数を示したものであり、この例では１／２分割でありｍ＝０．５日とする。但し、日数ｍは１／２日分割に限らず、１／３日分割、１／４日分割、これら以外であっても構わない。塗り色転記欄Ｈ（ｍ）には、色塗りシートＳ１で被験者により塗られた１日毎（分割日数ｍ毎）の塗り色（２色以上でも構わない）が転記される。感想内容転記欄Ｅ（ｍ）には、感想記入シートＳ２で被験者により記入された日数ｍ毎の感想内容が転記される。状態ランク記入欄Ｆ（ｍ）には、感想記入シートＳ２の日数ｍ毎の感想内容について分析者が評価して付した被験者の精神状態を示す状態ランク（○，△，×）が記入される。出来事種別記入欄Ｊ（ｍ）には、感想記入シートＳ２の日数ｍ毎の感想内容について分析者が分類して付した被験者の出来事種別Ｐが記入されるようになっている。
【００１７】
出来事種別Ｐは、被験者の感想内容から分析者が判断して、Ａ（生活の中で主体となる出来事）とＢ（それ以外の出来事）の２種類に分けられている。この被験者は就労者であって、Ａは「仕事」、Ｂは「その他」である。かかる出来事種別Ｐの内容は人により異なる。すなわち、前記のような「仕事」と「その他」に限られず、高齢者の場合はＡを「体調」Ｂを「その他」とし、主婦の場合はＡを「家事」Ｂを「その他」とし、学生の場合はＡを「勉強」Ｂを「その他」とし、スポーツ選手の場合はＡを「トレーニング」Ｂを「その他」として例示することができる。尚、パターン番号記入欄Ｖ（ｍ）の記入に関しては、後述する別の実施形態にて説明する。
【００１８】
前記の並べ替えシートＳ４は、図５に示すように、そのシート表面に、感想内容並べ替え欄Ｋ（ｍ）、状態ランク並べ替え欄Ｌ（ｍ）、塗り色並べ替え欄Ｎ（ｍ）、日数並べ替え欄Ｍ（ｍ）、出来事種別並べ替え欄Ｐ（ｍ）、およびパターン番号転記欄Ｗ（ｍ）が設けられている。状態ランク並べ替え欄Ｌ（ｍ）は、転記シートＳ３の状態ランク記入欄Ｆ（ｍ）で記入された日数ｍ（＝０．５日）毎の状態ランク（○，△，または×）のうち同種のものをまとめて並べ替えるために使用される。日数並べ替え欄Ｍ（ｍ）の日数ｍは全て０．５日である。そして、状態ランク並べ替え欄Ｌ（ｍ）にまとめて並べ替えられたそれぞれの状態ランク（○，△，または×）に付随して、転記シートＳ３の、感想内容、塗り色、出来事種別Ｐ（Ａ，Ｂ）、およびパターン番号（Ｎｏ）も、感想内容並べ替え欄Ｋ（ｍ）、塗り色並べ替え欄Ｎ（ｍ）、出来事種別並べ替え欄Ｐ（ｍ）、およびパターン番号転記欄Ｗ（ｍ）においてそれぞれ並べ替えられる。
【００１９】
前記の状態ランク割合表示シートＳ５は、図６に示すように、そのシート表面に、所定日数（ｎ＝３０）中に得られた所定数（ｍ＝６０）の状態ランク（○，△，×）に対する状態ランク毎の集合の占める割合を表示する割合表示部ＧＡ，ＧＢ，ＧＣが設けられている。これらの割合表示部ＧＡ，ＧＢ，ＧＣは円グラフで表示されている。割合表示部ＧＡは被験者の或る月における「仕事（Ａ）に対する心の状態」を表し、割合表示部ＧＢはその月における「その他の出来事（Ｂ）に対する心の状態」を表し、割合表示部ＧＴはその月の「仕事（Ａ）およびその他の出来事（Ｂ）を合わせた全体における心の状態」を表している。これらの割合表示部ＧＡ，ＧＢ，ＧＣに用いるグラフとしては、円グラフに限らず、棒グラフ、折れ線グラフ、その他のグラフが使用される。
【００２０】
上記した各シートＳ１，Ｓ２，Ｓ３，Ｓ４，Ｓ５は例えば紙シートで構成されている。各シートＳ１〜Ｓ５上に示された文字や枠線は輪転機やコンピュータ用プリンタで印刷されており、記入欄は被験者や分析者が手書きできるよう空白となっている。但し、各シートＳ１〜Ｓ５としては、コンピュータ用表示装置の表示画面に表示されたシート画像も含むものとする。かかるシート画像の場合、被験者はキーボードやマウスなどの入力装置を用いて、シート画像である色塗りシートＳ１中の色塗り用領域Ｒ（ｎ）に１日ずつ所望の色を付してもらい、同じくシート画像である感想記入シートＳ２中の感想記入欄Ｉ（ｎ）にその日の感想内容を書き込んでもらう。シートＳ３，Ｓ４，Ｓ５については分析者により入力装置から入力してもらう。
【００２１】
上記した精神状態把握用具１を用いて被験者の精神状態を把握する方法を以下に説明する。この場合、被験者は例えば営業担当の会社員Ｆ氏（５０歳代）とする。
まず、被験者に、色塗りシートＳ１における１日分の色塗り用領域Ｒ（ｎ）にその日の気持に合った色を一色、または二色塗ってもらう。この場合、それぞれのＲ（ｎ）について、若い日（ｎ＝１〜）のものから１日ずつ順番に塗ってもらう。使用色は１６色くらいが妥当である。これは色数が多すぎると分析が困難になるからである。使用色としては、例えば赤、オレンジ、黄色、黄緑、緑、水色、青、紫、ピンク、フレッシュ（肌色）、黄土色、茶色、こげ茶、白、灰色、黒などが挙げられる。
併せて、被験者に、色塗りシートＳ１に色塗りした日の出来事の中で一番言いたい感想を感想記入シートＳ２の感想記入欄Ｉ（ｎ）に書き留めてもらう。但し、数件の出来事が書き留められている場合、先に書き留められた２件の出来事までを分析対象とする。これは一般的に先に記入するものの方が印象深いためである。
【００２２】
続いて、分析者は、感想記入シートＳ２の感想記入欄Ｉ（ｍ）に記載された一日毎の出来事を感想内容別に整理し、複数の感想内容が記載されている場合は文頭から２件だけ抽出する。ここで、一日１件の感想内容が書き留められている場合は同じ内容に０．５日（日数ｍ）ずつに分けて割り当てる。一日２件の感想内容が書き留められている場合は各１件に対しそれぞれ０．５日を割り当てて、転記シートＳ３の感想内容転記欄Ｅ（ｍ）に日付順に転記する。また、０．５日毎に割り当てられた感想内容に付随するもので、色塗りシートＳ１の色塗り用領域Ｒ（ｎ）に塗られている色を塗り色転記欄Ｈ（ｍ）に塗り写す。但し、一日１件の感想内容に対し２色表現の場合、感想内容は同じとして１色につき０．５日を割り当てる。
【００２３】
また、分析者は、色塗りシートＳ１の塗り色および感想記入シートＳ２の感想内容に基づいて被験者の精神状態を示す状態ランク（○、△、×）を日数ｍ毎にランク付けし、転記シートＳ３の状態ランク記入欄Ｆ（ｍ）に記入する。この場合、○印はポジティブな状態（その人にとって良い状態）を表わしている。△印はニュートラルな状態（その人にとって普通の状態）を表わしている。×印はネガティブな状態（その人にとって悪い状態）を表わしている。そして、分析者は感想内容転記欄Ｅ（ｍ）に転記した０．５日毎の感想内容につき、出来事種別Ｐとして生活の中で主体となるものをＡの出来事種別Ｐとし、主体以外のものをＢの出来事種別Ｐとして、ＡまたはＢを出来事種別記入欄Ｊ（ｍ）に記入する。更に、分析者は、Ａに係る状態ランク○、△、×の日数ｍをそれぞれ積算し、Ａ全体の日数に対する占有率をそれぞれ算出する。Ｂに係る状態ランク○、△、×の日数ｍもそれぞれ積算してＢ全体の日数に対する占有率をそれぞれ算出する。尚、パターン番号記入欄Ｖ（ｍ）に記入されるパターン番号を利用した分析例はここでは一先ず省略し、後の実施形態で説明する。
【００２４】
次に、分析者は、転記シートＳ３における出来事種別記入欄Ｊ（ｍ）からＡに関するものと、Ｂに関するものを振り分ける。前記のようにＡに振り分けられたものについて、分析者は、転記シートＳ３における状態ランク記入欄Ｆ（ｍ）から０．５日毎の状態ランク○だけを選出し、並べ替えシートＳ４の状態ランク並べ替え欄Ｌ（ｍ）にまとめて並べ替える。このように抽出された状態ランク○に関し、転記シートＳ３の塗り色転記欄Ｈ（ｍ）に表わされている色が同じものを、更にまとめるのである。以上の作業は、Ａに関して、状態ランク△、状態ランク×についても同様に行なわれる。このように、Ａについての状態ランク毎の並べ替え作業が終わると、転記シートＳ３の出来事種別記入欄Ｊ（ｍ）に戻って、Ｂに関するものを選出し、状態ランク○、状態ランク△、状態ランク×について、Ａのときと同様に状態ランク毎の並べ替え作業を行なう。
【００２５】
そうして、分析者は、所定日数（ｎ＝３０）中に得られた所定数（＝６０個）の状態ランク全体に対する個々の状態ランク○、△、または×毎の集合の占める割合を算出する。この場合、状態ランク○は４１．７％（１２．５日）、状態ランク△は４０．０％（１２．０日）、状態ランク×は１８．５％（５．５日）であった。また、Ａについての状態ランク○、△、または×毎の集合の占める割合（３５．０％、１８．３％、１１．７％）と、Ｂについての状態ランク○、△、または×毎の集合の占める割合（６．７％、２１．７％、６．６％）をそれぞれ算出する。
【００２６】
更に、上記のように算出された状態ランク毎の集合の占める割合を基に、分析者は、図６に示す状態ランク割合表示シートＳ５上に、割合表示部ＧＡ，ＧＢ，ＧＴとしての円グラフを作成する。すなわち、割合表示部ＧＡから、仕事（Ａ）に対する心の状態として、ポジティブ（○）が３５．０％、ニュートラル（△）が１８．３％、ネガティブ（×）が１１．７％、その他（Ｂ）が３５．０％であることが一目でわかる。また、割合表示部ＧＢから、その他（Ｂ）の出来事に対する心の状態として、ポジティブ（○）が６．７％、ニュートラル（△）が２１．７％、ネガティブ（×）が６．６％、仕事（Ａ）が６５．０％であることが一目でわかる。そして、割合表示部ＧＴから、仕事（Ａ）とその他（Ｂ）を含む全体の心の状態として、ポジティブ（○）が４１．７％、ニュートラル（△）が４０．０％、ネガティブ（×）が１８．３％であることが一目でわかるのである。
【００２７】
ここで、上述のような並べ替えシートＳ４、状態ランク割合表示シートＳ５の内容を基にした、分析者による１１月におけるＦ氏の精神状態の分析結果の例を下記に示す。
分析結果は、『仕事Ａに関して、Ｏ支店の仕事の内容も活動範囲も把握でき、計画的な行動がとられていると思われる。営業に出て活動することがＦさんの得意分野であることから、会議、講習会、勉強会といった事務所内での動きのない一日には、かなりの退屈を覚えている。言い換えれば、余裕と言えるかも知れない。意見の食い違いで上司ともめたり、内容のない政治集会等に出席したり、腹立たしい出来事があったり、無駄な時間を過ごしたもったいなさ等、マイナス面もあったと思われますが、気にかかるほど心に留めていないものと思われる。その他Ｂの出来事についても、趣味、自宅でのんびり、買い物等ゆったりと過ごす時間が多く、私生活にも余裕が見られる。ゴルフも１２月の忘年会に向けて練習に励んでいて、一生プレイはしないと思っていたにも拘らず、結局接待ゴルフをしなければならなくなったことが可愛そうでありまた楽しげでもあります。表彰式に出席して上がったこと以外は、全て順調な一ケ月だったと思われます。残すところ今年もあと一ケ月です。飲み過ぎず、食べ過ぎず、ぎりぎりまで働き過ぎず、この調子でいけば良いと思います。』である。
【００２８】
以上述べたように、本実施形態の精神状態把握用具１によれば、被験者が色塗りシートＳ１の絵柄（色塗り用領域Ｒ（ｎ））にその日の気持ちに合致した色を塗る事、およびその絵柄の日付ｎに対応した感想記入シートＳ２の感想記入欄Ｉ（ｎ）にその日の一番言いたい事を書き留めることにより、被験者の心の状態、変化を日、週、月、年単位で容易に読み取ることができる。これにより、一ヶ月間の被験者自身の精神状態を精度よく把握することができる。
【００２９】
特に、被験者にとっての色塗りシートＳ１の塗り絵柄と感想記入シートＳ２の感想記入欄の効用としては、１）色塗り用領域Ｒ（ｎ）の一日分を色塗りするという簡単な作業なので、どのような人でも容易に参加できて継続しやすい。色塗り用領域Ｒ（ｎ）が花の絵柄で表されている場合、花びらを一日一枚しか塗らなくて良い。２）一ケ月継続して絵柄を塗り終えた時、あたかも作品を仕上げたという達成感や満足感が得られる。３）人間は自分自身の心の状態を言葉や文章で表現する時に意識が高揚する傾向があり、素直な感情表現がしにくくなる。それに対し、塗り絵は本来遊びや楽しみとして一般に広く定着して来たものであり、被験者は毎日塗り絵を塗る事に対して構える姿勢がなく、素直な心の状態が反映されやすいことが挙げられる。
【００３０】
また、分析者にとっての色塗りシートＳ１の塗り絵柄と感想記入シートＳ２の感想記入欄の効用としては、１）塗り絵柄が色塗りシートＳ１の一平面上にまとめて表されているため、例えば或る心の状態が限られた曜日に重なる場合、また月初めに偏る場合など、一ケ月の心の状態や変化を一目で把握することができる。従って、或る偏った心の状態をもたらす原因を特定しやすく、その対策も立て易くなる。２）色塗りシートＳ１における色塗り用領域Ｒ（ｎ）に一日ずつ一ケ月間塗り続ける事により、被験者の時間的な経過を伴った心の状態を把握することができる。３）色塗りシートＳ１における色塗り用領域Ｒ（ｎ）の塗りiro柄と感想記入シートＳ２における感想記入欄Ｉ（ｎ）の感想内容を同時に分析することにより、被験者の心の状態および変化を的確かつ容易に把握できることが挙げられる。
【００３１】
尚、上記実施形態の色塗りシートＳ１では、色塗り用領域Ｒ（１）〜Ｒ（３１）が７角の星の塗り絵柄となったものを例示したが、本発明はそれに限定されるものでない。例えば、図７（ａ）に示すように、同じ曜日に係る色塗り用領域Ｒ（ｎ）を集めた７つのグループｒ，ｒ，ｒ，ｒ，ｒ，ｒ，ｒを中心部Ｒ０から離して配置したものも含まれる。或いは、図７（ｂ）に示すように、同じ曜日に係る色塗り用領域Ｒ（ｎ）を集めた７つのグループｒ，ｒ，ｒ，ｒ，ｒ，ｒ，ｒを一方向（矢印Ｚと直角の方向）に横並びに配置したものであってもよい。
【００３２】
更には、図８に示すように、色塗り用領域Ｒ（ｎ）を有する色塗りシートＳ１と、日付欄Ｄ（ｎ）および感想記入欄Ｉ（ｎ）を有する感想記入シートＳ２とを一体に形成した一体シートＳ６を使用しても構わない。かかる一体シートＳ６を使用すれば、被験者が一日毎の色塗り作業および感想記入作業のいずれかを忘れるといったことを防ぐことができる。また、カレンダー式の日記代わりとすることも可能である。
【００３３】
そして、並べ替えシートとして、図９に示すような並べ替えシートＳ４−１を用いてもよい。この並べ替えシートＳ４−１では、各状態ランク○，△，×用として上下方向に区画されており、それぞれの区画には日数集計欄と集合割合記載欄が設けられている。これにより、日数ｍの集計と集合割合の計算が容易となり、状態ランク割合表示シートＳ５におけるグラフも作成しやすくなる。
【００３４】
尚、上面に離型剤処理の施された台紙と、この台紙上に着脱自由に貼着された多数の粘着シールとから前記の転記シートＳ３を構成することもできる。この場合、個々の粘着シールには、０．５日毎の、感想内容転記欄Ｅ（ｍ）、状態ランク記入欄Ｆ（ｍ）、日数記入欄Ｇ（ｍ）、塗り色転記欄Ｈ（ｍ）、および出来事種別記入欄Ｊ（ｍ）が印刷されている。このように構成すると、各欄Ｅ（ｍ），Ｆ（ｍ），Ｇ（ｍ），Ｈ（ｍ），Ｊ（ｍ）への転記、記入が一か月分終了した後に、各粘着シールを台紙から剥がして並べ替えシートＳ４の所定位置へ貼り付けるだけで、いとも簡単かつ迅速に並べ替え作業を終えることができる。また、粘着シールは並べ替えシートＳ４に対し着脱自由であるから並べ替え順を替えたい場合も支障を生じない。しかも、並べ替え時の転記ミスを防ぐこともできる。
【００３５】
次に、被験者に関して想定される感想内容を予め複数のパターンに分類しておき、被験者により記入された感想内容を前記いずれかのパターンに分析者が当てはめて利用する実施形態を説明する。
ここで、被験者が例えば営業マンである場合、「仕事（Ａ）」の感想内容については下記の１０パターンに当てはめることができる。例えば、パターン（１）大変忙しい一日（順調な、成果の上がらない、疲れた、無駄な）、パターン（２）移動も含む一日（順調な、成果の上がらない、疲れた、無駄な）、パターン（３）想定内の一日（何もなく順調な、変化のない、マイペースな、リラックスな）、パターン（４）有意義な一日（新しい人脈、新しい出会い、新規拡大等）、パターン（５）社内での職務（事務所内での来客対応、打合せ、会議、事務処理等）、パターン（６）社外での職務（他社との会合、竣工式、年末年始の集まり、表彰式、講習、公演、勉強会等）、パターン（７）会社内、外での人間関係、パターン（８）接待ゴルフ、パターン（９）休日の仕事（休日出勤、自宅での事務仕事、集会参加、前日移動等）、パターン（１０）その他（雑用等）、である。
また、「その他の出来事（Ｂ）」の感想内容についても、下記の７パターンに当てはめることができる。例えば、パターン（１）家族とのふれあい（奥様と買物、故郷に帰り母親兄弟親戚とのふれあい等）、パターン（２）友人とのコミュニケーション、パターン（３）休日を過ごす（自然、動物とのふれあい、趣味、ビデオ鑑賞等）、パターン（４）身の回り事（雑用、散髪等）、パターン（５）町内会の用事、パターン（６）体調、パターン（７）その他、である。
【００３６】
そこで、分析者は、感想記入シートＳ２（図３）における感想記入欄Ｉ（ｎ）に記入されている被験者の感想内容を転記シートＳ３（図４）の感想内容転記欄Ｅ（ｍ）に転記し、日数ｍ毎の出来事種別Ｐとして仕事Ａまたはその他Ｂを付与する際に、感想内容転記欄Ｅ（ｍ）の感想内容を仕事Ａの１０パターンまたはその他Ｂの７パターンに照合して当てはまるパターンを選出し、選出したパターンのパターン番号を転記シートＳ３のパターン番号記入欄Ｖ（ｍ）に記入する。そして、分析者は転記シートＳ３のパターン番号を並べ替えシートＳ４（図５）のパターン番号記入欄Ｗ（ｍ）に転記する。
【００３７】
このように記入・転記したパターン番号を前記の出来事種別Ｐ（Ａ、Ｂ）と併用すると、Ａ−１〜Ａ−１０、Ｂ−１〜Ｂ−７といったように被験者の精神状態を細かく分類でき、各分類毎の占有率も算出することができる。従って、先の実施形態のような状態ランク（○，△，×）と出来事種別Ｐ（Ａ、Ｂ）との組合せで分析した場合と比べて、いっそう細やかで正確な分析ができるとともに分析結果を迅速に出すことができ、全体的な分析結果の把握も容易となる。すなわち、被験者の生活の偏りをよりいっそう正確に把握することができる。また、このように分析した結果を必要に応じて第３者に提示する場合に、感想内容並べ替え欄Ｋ（ｍ）の感想内容を隠蔽したりはじめから転記しなかったとしても、状態ランク、塗り色、出来事種別、およびパターン番号だけで十分に分析結果の内容を第３者に理解させることができる。従って、被験者の個人情報の漏洩防止に役立つこととなるのである。
【００３８】
一方で、被験者として、高齢者福祉施設に入所している高齢者を例に挙げると、生活の中で主体となる出来事は「体調」に関することである。かかる被験者の「体調（Ａ）」の感想内容については下記の７パターンに当てはめることができる。例えば、パターン（１）具体的苦痛（頭、腹、足、腕、手、腰、肩、背中、歯、目、鼻、耳などの部分的痛み不快感等）、パターン（２）全体的苦痛（何となくだるい、眠れない、体が動かない、何もしたくない等）、パターン（３）積極的改善（リハビリに行く、歩く練習をする、痛いけど頑張る等）、パターン（４）消極的改善（注射が痛く足が良くならない、痛いから歩く練習をしない等）、パターン（５）体調良好（足の運びが良い、あまり痛くない等）、パターン（６）機能低下（足が段々動かなくなるつらい、手の力が無く下着を上げることができない、文章表現なし等）、パターン（７）食事の状態（食べたくない、ほとんど残してしまう、嘔吐、美味しい、お腹が空く等）、である。
【００３９】
また、「その他の出来事（Ｂ）」の感想内容については下記の１０パターンに当てはめることができる。例えば、パターン（１）心情（亡父、母に思いを馳せる、心が浮かない、知人の死に対する悲しみ、生きがいを見出せない、今日一日頑張ります、関わる人に感謝、四季折々の行事を待ちわびる様）、パターン（２）家族の訪問（現実に家族と触れ合っている状態、家に帰る事も含む）、パターン（３）家族とのコミュニケーション（家族からの送り物、手紙、電話、期待、関係等）、パターン（４）知人の訪問（現実に知人と触合っている状態、知人宅を訪ねる事も含む）、パターン（５）知人とのコミュニケーション（知人からの贈り物、期待、関係等）、パターン（６）施設内でのコミュニケーション（施設内で同じ利用者と関わっている状態）、パターン（７）娯楽（テレビを観る、習字を習う、絵を描く、花を育てる  花を生ける、新聞を読む、趣味、レクレーション、カラオケで唄う等）、パターン（８）身の回り事（風呂に入れてもらう、散髪をしてもらう、布団を干してもらう、洗濯をしてもらう、爪を切ってもらう、シーツを替えてもらう、季節物の入れ替えをしてもらう、買い物を頼む、電話をかけてもらう等）、パターン（９）行事（お正月、お雛様、節句、花見、こどもの日、母の日、故老の日  誕生日、施設の開設記念日等）、パターン（１０）天気（その日の天気の状態であるため、全ての状態をニュートラル（△）として捉える。季節事も含む。）、である。
上記した高齢者に関する体調Ａの各パターンおよびその他Ｂの各パターンも、前述した営業マンに関するパターンと同様、出来事種別Ｐとの併用による優れた作用・効果を奏するのである。
【００４０】
尚、上記した種々のパターンの内容や設定数については上記した各例に限定されるものでなく、適宜に変更することができる。
【図面の簡単な説明】
【００４１】
【図１】本発明の一実施形態に係る精神状態把握用具を示す平面図である。
【図２】前記精神状態把握用具の色塗りシートおよび色塗り例を示す平面図である。
【図３】前記精神状態把握用具の感想記入シートおよび記入例を示す平面図である。
【図４】前記精神状態把握用具の転記シートおよび転記例を示す平面図である。
【図５】前記精神状態把握用具の並べ替えシートおよび並べ替え例を示す平面図である。
【図６】前記精神状態把握用具の状態ランク割合表示シートおよび表示例を示す平面図である。
【図７】（ａ）、（ｂ）はそれぞれ前記色塗りシートの別例を示す平面図である。
【図８】色塗り用領域および感想記入欄の双方が設けられた一体シートを示す平面図である。
【図９】前記並べ替えシートの別例を示す平面図である。
【符号の説明】
【００４２】
１    精神状態把握用具
Ａ    仕事
Ｂ    その他
Ｄ（ｎ）  日付欄
Ｅ（ｍ）  感想内容転記欄
Ｆ（ｍ）  状態ランク記入欄
ＧＡ，ＧＢ，ＧＴ  割合表示部
Ｈ（ｍ）  塗り色転記欄
Ｉ（ｎ）  感想記入欄
Ｋ（ｍ）  感想内容並べ替え欄
Ｌ（ｍ）  状態ランク並べ替え欄
ｍ    日数
Ｎ（ｍ）  塗り色並べ替え欄
ｎ  日付
Ｒ（ｎ）  色塗り用領域
Ｒ（１）〜Ｒ（３１）  色塗り用領域
Ｓ１，Ｓ１−１，Ｓ１−２  色塗りシート
Ｓ２  感想記入シート
Ｓ３  転記シート
Ｓ４，Ｓ４−１  並べ替えシート
Ｓ５  状態ランク割合表示シート
Ｓ６  一体シート
○，△，×  状態ランク
【図１】
0004792317.tif 000002
【図２】
0004792317.tif 000003
【図３】
0004792317.tif 000004
【図４】
0004792317.tif 000005
【図５】
0004792317.tif 000006
【図６】
0004792317.tif 000007
【図７】
0004792317.tif 000008
【図８】
0004792317.tif 000009
【図９】
0004792317.tif 000010